(57)【要約】【課題】長尺な電路における電圧降下を抑制することが可能なライティングダクトを提供する。【解決手段】長手方向に開放部１１ａを有する長尺状のダクト本体１１と；前記ダクト本体に互いに絶縁されるように配設され、前記開放部から挿入された電気接続部材１４が接続される長尺状の一対の導電部１３Ａと、少なくとも前記一対の導電部にそれぞれ対応し、互いに絶縁されて前記ダクト本体に配設された長尺状の導通部１３Ｂと、を有する導電路Ｌと；を具備するライティングダクト１０を構成する。【選択図】        図１
2011146186.tif 000002
【特許請求の範囲】
【請求項１】
長手方向に開放部を有する長尺状のダクト本体と；
前記ダクト本体に互いに絶縁されるように配設され、前記開放部から挿入された電気接続部材が接続される長尺状の一対の導電部と、少なくとも前記一対の導電部にそれぞれ対応し、互いに絶縁されて前記ダクト本体に配設された長尺状の導通部と、を有する導電路と；
を具備していることを特徴とするライティングダクト。
【請求項２】
前記導電路は、前記導電部とそれぞれの導電部に対応する前記導通部とが電気的に接続することで互いに絶縁された一対のループ状の導電路を形成することを特徴とする請求項１に記載のライティングダクト。
【請求項３】
前記ダクト本体の一端部に取り付けられたときに、前記導電部と前記導通部とを電気的に接続するエンドキャップを具備したことを特徴とする請求項１または２に記載のライティングダクト。
【請求項４】
前記導電路は、電気接続部材が導電部に接続されるときに、電気接続部材によって前記導電部と前記導通部とが電気的に接続されることを特徴とする請求項１ないし３いずれか一に記載のライティングダクト。
【発明の詳細な説明】
【技術分野】
【０００１】
本発明は、天井等に設置され、照明器具が電気的に接続されると共に長手方向の任意の場所に取り付けられるライティングダクトに関する。
【背景技術】
【０００２】
従来、この種、ライティングダクトは店舗等の照明器具の設置に広く使用され、その構成は、例えば、特許文献１（特に、段落番号［０００８］および図１、図２）に示されるように、ダクト本体内面の両側部に一対の保持部が形成され、各保持部の下面に保持部に沿って延びる一対の出力電極が設けられ、この一対の電極には電源線が接続されて構成されている。また、照明器具のライティングダクトへの取り付けは、段落番号［００１１］に示されるように、照明器具のプラグをダクト本体に挿入した後、プラグを９０°回動させることによって支持できるように構成されている。
【０００３】
一方、近年、直流を電源とする発光ダイオードを光源とした照明器具が広く用いられるようになり、これら照明器具は、現在、交流配電がなされている店舗や一般家庭等において使用するために、器具自体に交流を直流に変換する電源部を設けることによって構成し、これら直流電源部を内蔵する照明器具をライティングダクトに取り付けている。
【０００４】
このため、これら照明器具個々に直流電源部を内蔵させることなく使用できるようにするため、例えば、特許文献２、特に、段落番号［０００３］には、住宅などの分電盤内に直流電源装置としてのＡＣ／ＤＣコンバータを設け、商用交流電源を直流電源に変換し、各部屋に設置された正極および負極の一対の給電部を有する直流コンセントから直流供給電路を介して直流機器に直流電源を供給する直流配電システムが提案されている。
【先行技術文献】
【特許文献】
【０００５】
【特許文献１】実用新案登録第３１１０９２５号公報
【特許文献２】特開２００９−１５９６５３号公報
【発明の概要】
【発明が解決しようとする課題】
【０００６】
しかしながら、長尺なライティングダクトに照明器具を複数個設置した場合、電路が長いために電源部から遠くなる器具に対しては、長い電路によって電圧降下が生じ、所定の明るさで点灯できない問題が生じる。また、インバータ器具等においては、電圧降下による補正電流値が増えることで、ライティングダクトにおける導電体への通電電流が増える可能性がある。特に、特許文献２のような直流配電システムにした場合には、４８Ｖや２４Ｖ程度の弱電圧配電となり、より一層、電圧降下の影響を受け易くなる。
【０００７】
特許文献２、特に、段落番号［０００８］には、直流電源装置に接続された直流供給電路をループ状に形成することによって、直流供給電路で生じる電圧降下を小さく抑えることが記載されているが、上述した長尺なライティングダクトの場合には、ライティングダクトをループ状に配置することが困難な場合があり、ライティングダクトにおける電圧降下の問題を解消するまでには至っていない。このため、この種のライティングダクトによる照明器具の設置を普及させ、さらに、直流で点灯する発光ダイオードを光源とした照明器具をさらに普及させるためには、この種、長尺なライティングダクトにおける電圧降下を如何に防止するかが重要な課題となっている。
【０００８】
本発明は、上記の課題に鑑みなされたもので、長尺な電路における電圧降下を抑制することが可能なライティングダクトを提供しようとするものである。
【課題を解決するための手段】
【０００９】
請求項１に記載のライティングダクトの発明は、長手方向に開放部を有する長尺状のダクト本体と；前記ダクト本体に互いに絶縁されるように配設され、前記開放部から挿入された電気接続部材が接続される長尺状の一対の導電部と、少なくとも前記一対の導電部にそれぞれ対応し、互いに絶縁されて前記ダクト本体に配設された長尺状の導通部と、を有する導電路と；を具備していることを特徴とする。
【００１０】
本発明によれば、ダクト本体に互いに絶縁されるように配設され電気接続部材が接続される長尺状の一対の導電部と、少なくとも一対の導電部にそれぞれ対応し、互いに絶縁されてダクト本体に配設された長尺状の導通部とを有する導電路によって、簡易な構成により長尺な電路における電圧降下を抑制することが可能なライティングダクトが構成される。
【００１１】
本発明において、ライティングダクトは、長尺で略直線状に構成されたものが好適であるが、Ｌ字状、「く」の字状、サークル状等に形成されたものであってもよい。さらに、天井や壁面等に対して直付けされるもの、埋め込まれて設置されるもの、吊りパイプ等によって吊り下げられるもの、さらには、天井等に設置された既存の引掛シーリングに設置される簡易取付形のライティングダクトであってもよい。また、ライティングダクトは、１本で構成されたものであっても、各種ジョインタ等によって複数本が接続され、例えば、部屋の天井の形状に沿って張りめぐらせることによって、より長尺なダクトとなるように構成したものであってもよい。
【００１２】
また、本発明のライティングダクトは、特に直流配電システムに用いられることが好適であるが、交流配電システムに使用されてもよい。さらに、ライティングダクトには各種の照明器具が、長手方向の任意の場所に取り付けられるが、照明器具を吊るすための吊りフック等、照明器具以外の器具が長手方向の任意の場所に取り付けられるものであってもよい。ダクト本体は、機械的な強度を有する例えばアルミニウムやアルミニウム合金、またはステンレスや鋼板等の金属で構成することが好ましいが、塩化ビニル等、機械的強度を有する合成樹脂で構成されたものでもよい。
【００１３】
一対の導電部は、電気接続部材が接続されて電気的な接続がなされるように、例えば、銅または銅合金等の長尺状の導電体で構成され、電圧側および接地側（直流配電においては、＋極側および−極側）それぞれがダクト本体に互いに絶縁されて対をなすように配設されていることが許容される。また、これら導電部は、天井等へ設置された状態で電気接続部材と水平方向に接触して電気接続がなされることが好ましいが、垂直方向に接触して接続されるものであってもよい。
【００１４】
長尺状の導通部は、上記導電部と同様に、例えば、銅または銅合金等の導電体で構成されることが好ましいが、これら導電体は、互いに絶縁するための絶縁部材や絶縁被覆を施すことによって、電気的に絶縁されたものであってもよく、上記導電部と共に導電路を構成することが可能な全ての材質および形態が許容される。
【００１５】
電気接続部材は、ダクト本体の開放部から挿入されて、ダクト本体の一対の導電部に接続されて、負荷である照明器具との電気的な接続を行うもので、引掛シーリング機能を有するライティングダクト用引掛シーリングボディ、コンセント機能を有するライティングダクト用抜け止めコンセントプラグ、さらには、コードペンダントに使用するライティングダクト用プラグであってもよい。さらに、照明器具に一体に設けられたライティングダクト用プラグであってもよい。
【００１６】
請求項２に記載の発明は、請求項１に記載のライティングダクトにおいて、前記導電路は、前記導電部とそれぞれの導電部に対応する前記導通部とが電気的に接続することで互いに絶縁された一対のループ状の導電路を形成することを特徴とする。本発明によれば、互いに絶縁された一対のループ状の導電路を形成することによって、簡易な構成により長尺な電路における電圧降下を抑制することが可能なライティングダクトが構成される。
【００１７】
本発明において、一対のループ状の導電路は、例えば、上記導電部と上記導通部とを電気的に接続するエンドキャップにより形成されることが好ましいが、ループ形成のための専用の導電体によって上記導電部と上記導通部と接続することによって構成しても、負荷に接続される電気接続部材によって構成するようにしても、複数のダクト本体を接続するためのジョインタによって構成するようにしてもよい。また、ループ状の導電路は、その途中が専用の導電体等によって接続されるものであってもよい。
【００１８】
請求項３に記載の発明は、請求項１または２に記載のライティングダクトにおいて、前記ダクト本体の一端部に取り付けられたときに、前記導電部と前記導通部とを電気的に接続するエンドキャップを具備したことを特徴とする。本発明によれば、エンドキャップがダクト本体の一端部に取り付けられたときに、導電部と導通部とを電気的に接続することができ、簡易な構成および手段により長尺な電路における電圧降下を抑制することが可能なライティングダクトが構成される。
【００１９】
本発明において、エンドキャップは、上述したダクト本体と同様の材質で構成されていることが好ましいが、例えば、ダクト本体を金属で構成し、エンドキャップを合成樹脂で構成するなど、異なる材料で構成されたものであってもよい。また、エンドキャップは内部に電路を有し、一対のループ状の導電路を形成するようにしてもよい。エンドキャップの電路は、例えば、Ｕ字形状に曲げられた銅または銅合金等の導電体で構成されることが許容される。
【００２０】
エンドキャップは、ダクト本体の両端部に設けられることによって、導電路と共にループ状をなすように構成されることが好ましいが、例えば、一端部にエンドキャップを、他端部に電源部に接続されるフィードインキャップまたはジョインタ等を設けることによってループ状をなすように構成されてもよい。また、エンドキャップはダクト本体の一端部に設け、ダクト本体の他端部は閉塞された端部にし、この閉塞端部に負荷を接続することができない折り返し導電体を構成し、エンドキャップをダクト本体の一端部側のみに接続することによって、エンドキャップと折り返し導電体でループ状をなす導電路を形成するようにしてもよく、エンドキャップはダクト本体の少なくとも一端部に設けられるものであればよい。
【００２１】
また、例えば、Ｕ字形状をなす電路を形成したエンドキャップをダクト本体の両端部に装着することによって、上記導電部および導通部と共に１本のトラック状をなすループ状の導電路が形成されることが好ましいが、エンドキャップのＵ字状をなす電路の形状、さらには、これらによって形成されるトラック状のループの形状等は、上記に例示されたものには限定されず、例えば、エンドキャップの電路は「コ」の字状や「く」の字状等であってもよく、さらに、これらによって形成されるループ形状は、例えば、折れ曲がった曲線状をなすように変形されたループであってもよい。また、導電路はエンドキャップのみによって接続されるようにしても、エンドキャップと共に他の手段によって導電路の途中がさらに接続されるものであってもよい。
【００２２】
請求項４に記載の発明は、請求項１ないし３いずれか一に記載のライティングダクトにおいて、前記導電路は、電気接続部材が導電部に接続されるときに、電気接続部材によって前記導電部と前記導通部とが電気的に接続されることを特徴とする。
【００２３】
本発明によれば、電気接続部材が導電部に接続されるときに、電気接続部材によって導電部と導通部とが電気的に接続されるので、簡易な構成および手段により長尺な電路における電圧降下を抑制することが可能なライティングダクトが構成される。本発明において、導電路は電気接続部材のみによって接続されるようにしても、電気接続部材と共に他の手段によって導電路の途中がさらに接続されるものであってもよい。
【発明の効果】
【００２４】
請求項１記載の発明によれば、ダクト本体に互いに絶縁されるように配設され電気接続部材が接続される長尺状の一対の導電部と、少なくとも一対の導電部にそれぞれ対応し、互いに絶縁されてダクト本体に配設された長尺状の導通部とを有する導電路によって、簡易な構成により長尺な電路における電圧降下を抑制することが可能なライティングダクトを提供することができる。
【００２５】
請求項２記載の発明によれば、互いに絶縁された一対のループ状の導電路を形成することによって、簡易な構成により長尺な電路における電圧降下を抑制することが可能なライティングダクトを提供することができる。
【００２６】
請求項３記載の発明によれば、エンドキャップがダクト本体の一端部に取り付けられたときに、導電部と導通部とを電気的に接続することができ、簡易な構成および手段により長尺な電路における電圧降下を抑制することが可能なライティングダクトを提供することができる。
【００２７】
請求項４記載の発明によれば、電気接続部材が導電部に接続されるときに、電気接続部材によって導電部と導通部とが電気的に接続されるので、簡易な構成および手段により長尺な電路における電圧降下を抑制することが可能なライティングダクトを提供することができる。
【図面の簡単な説明】
【００２８】
【図１】本発明の実施形態であるライティングダクトを示し、（ａ）はライティングダクトとエンドキャップの関係を示す斜視図（ライティングダクトは、長尺なダクト本体の途中部分を省略して図示した）、（ｂ）は（ａ）図におけるｂ−ｂ線に沿って断面し、電気接続部材を取り付けた状態を示す断面図。
【図２】同じくエンドキャップを示し、（ａ）は斜視図、（ｂ）は側面図。
【図３】同じくライティングダクトを直流配電システムに設置した状態を示し、（ａ）は配電図、（ｂ）（ｃ）はライティングダクトに取り付けられる電気接続部材を示し、（ｂ）はライティングダクト用引掛シーリングボディを示す側面図、（ｃ）はライティングダクト用プラグを示す側面図。
【図４】同じくライティングダクトとエンドキャップおよびフィードインキャップとの関係を示す斜視図（ライティングダクトは、長尺なダクト本体の途中部分を省略して図示した）。
【図５】同じくライティングダクトの第１の変形例を示し、（ａ）はライティングダクトを直流配電システムに設置した状態を示す配電図、（ｂ）はライティングダクトの斜視図（ライティングダクトは、長尺なダクト本体の途中部分を省略して図示した）。
【図６】同じくライティングダクトの第２の変形例を示し、（ａ）はライティングダクトを直流配電システムに設置した状態を示す配電図、（ｂ）（ｃ）はライティングダクトに取り付けられる電気接続部材を示し、（ｂ）はライティングダクト用引掛シーリングボディを示す側面図、（ｃ）はライティングダクト用プラグを示す側面図。
【図７】同じくライティングダクトの第３の変形例を示し、（ａ）はジョインタによって接続されたライティングダクトを直流配電システムに設置した状態を示す配電図、（ｂ）はジョインタを示す斜視図。
【図８】同じくライティングダクトの第４の変形例を示し、ライティングダクトを直流配電システムに設置した状態を示す配電図。
【図９】同じくライティングダクトのさらなる変形例を示し、（ａ）は第５の変形例におけるライティングダクトの図１（ｂ）に相当する断面図、（ｂ）は第６の変形例において、ライティングダクトを直流配電システムに設置した状態を示す配電図。
【発明を実施するための形態】
【００２９】
以下、本発明のライティングダクトの実施形態について説明する。
【実施例１】
【００３０】
本実施例は、直流配電システムが構築された店舗等の天井に設置されるライティングダクトを構成したもので、ライティングダクト１０は、図１に示すように、長尺状のダクト本体１１、ダクト本体の端部に設けられるエンドキャップ１２、ダクト本体に互いに絶縁されるように配設される長尺状の一対の導電部１３Ａ、一対の導電部にそれぞれ対応し、互いに絶縁されてダクト本体に配設された長尺状の導通部１３Ｂ、導電部１３Ａと導通部１３Ｂを有する導電路Ｌ、一対の導電部１３Ａに接続される電気接続部材１４で構成される。
【００３１】
ダクト本体１１は、機械的な強度を有する金属、本実施例では、長尺なアルミニウムからなり、断面形状が略逆Ｕ字形状をなし、その底面に長手方向に沿って開放部１１ａが形成されている。この開放部１１ａの開口幅は、後述する電気接続部材１４の接続部分が挿入される幅寸法を有して形成される。ダクト本体１１内面の両側部には、図１において左右対称に位置し、かつ上下方向に対向して突出する保持部１１ｂが長手方向に沿って一体に形成され、保持部１１ｂと内側面との間に隙間１１ｃを形成する。この隙間１１ｃ内に導電部１３Ａと導通部１３Ｂを有する一対の導電路Ｌが装着される。
【００３２】
図１中、１１ｄは、ダクト本体１１を天井等の被設置部に設置するための固定部で、木ネジ等で取り付けるための取付孔１１ｄ１が所定のピッチで形成されている。１１ｅは、ダクト本体１１に開放部１１ａを形成することによって形成された係合支持部で、後述する電気接続部材１４の接続部分に設けられた係合片を係合して機械的に支持するための部材である。１１ｆは、レールの極性（＋極および−極）を表示する極性表示部で、ダクト本体１１の一端部および他端部の各端面に、刻印等の手段によって表示されている。
【００３３】
導電路Ｌは、導電部１３Ａと導通部１３Ｂからなり、合成樹脂からなる電気絶縁体１３ａ（図１（ａ）中、斜線ハッチング部分）に対して長い直線状をなす導電バー１３ｂが一体に樹脂成型によって埋め込まれて構成され、導電バー１３ｂは上下に対をなして２本設けられる。２本の導電バー１３ｂは、上方の導電バーが導電部１３Ａを構成し、下方の導電バーが導通部１３Ｂを構成し、これら導電部および導通部は、互いに樹脂によって電気的に絶縁されかつ離間して設けられる。電気絶縁体１３ａは、難燃性、耐湿性を有し十分な機械的強度を有する合成樹脂、本実施例ではＰＢＴ（ポリブチレンテレフタレート）で構成し、対をなす２本の導電バー１３ｂは裸の銅で構成する。
【００３４】
上記に構成された導電路Ｌは、一対が用意され、それぞれがダクト本体１１の保持部１１ｂの隙間１１ｃ内に嵌合されて支持され、上下２本ずつの導電バー１３ｂが、＋極側と−極側で左右一対をなすようにしてダクト本体１１内面の側面部に長手方向に沿って配設される。図１（ａ）中、左方の導電バー１３ｂが−極側の導電路Ｌを形成し、右方の導電バー１３ｂが＋極側の導電路Ｌを構成する。すなわち、下方の開放部１１ａ側に配設された左右一対の導電バー１３ｂが導通部１３Ｂを構成し、導通部１３Ｂの上側に配設された左右一対の導電バー１３ｂが導電部１３Ａを構成する。
【００３５】
そして、各導電バー１３ｂの長手方向の一側面が電気絶縁体１３ａのガイド溝１３ａ１から露出し、上記係合支持部１１ｅの作用と相まって、後述する電気接続部材１４と電気的に接続されるように構成される。また、上記に構成されたダクト本体１１は、施工時に必要な長さに切断されて使用されるため、ダクト本体１１の一端部および他端部の各端面には、導電バー１３ｂの端面が露出している。なお、導通部１３Ｂを構成する下方の導電バー１３ｂは、裸の銅を電気絶縁体１３ａによって一体に埋め込んで樹脂成型し、ガイド溝１３ａ１から露出しないように絶縁された状態に構成してもよい。
【００３６】
上記に構成された導電部１３Ａと導通部１３Ｂは、両端部が電気的に接続されることによって、本実施例では、ダクト本体１１の両端部にエンドキャップ１２を取り付けることによって導電路Ｌがループ状になるように形成される。エンドキャップ１２は、ダクト本体１１における開放部１１ａの開放端を塞ぎダクト本体１１の一端部および他端部の各端面に露出した導電バー１３ｂの端面を覆い絶縁するための部材で、難燃性を有する合成樹脂、本実施例では、ＡＢＳ樹脂で鍔部１２ａと挿入部１２ｂが一体に形成され、挿入部１２ｂ内に電路１２ｃが設けられている。この電路１２ｃは、Ｕ字形状の電路を構成するように銅板を略Ｕ字形状に折曲して形成された導電体１２ｃ１からなる。この導電体１２ｃ１は、図１（ａ）に示すように、左右に対をなして２個が設けられ、それぞれのＵ字の開放端に設けられる先端部１２ｃ２が外方に向くようにして互いに電気絶縁をなすようにして挿入部１２ｂ内に一体に埋め込まれて樹脂成型されている。
【００３７】
このＵ字形状をなす、それぞれの導電体１２ｃ１における先端部１２ｃ２は、図２に示すように、電気接続が可能になるように、挿入部１２ｂの両側面から外方に突出させ露出させて設ける。この露出した先端部１２ｃ２のＵ字の高さ寸法ｈ１（図１（ａ））は、ダクト本体１１における上下の導電バー１３ｂ、すなわち、導電部１３Ａと導通部１３Ｂの高さ寸法ｈ２と略同等（ｈ１≒ｈ２）の寸法に形成する。また、挿入部１２ｂの両側面から突出する先端部１２ｃ２間の幅寸法ｗ１は、ダクト本体の左右両側の導電バー１３ｂ、すなわち、左右の導電部１３Ａおよび左右の導通部１３Ｂの間の間隔寸法ｗ２と略同等（ｗ１≒ｗ２）の寸法に形成する。この構成のエンドキャップ１２は、２個が用意される。なお、一方のエンドキャップ１２´は後述するようにフィードインキャップ１８が接続される接触端子１２ｃ３を有している（図１（ｂ））。
【００３８】
これによって、エンドキャップ１２、１２´の挿入部１２ｂをダクト本体１１の一端部および他端部に、それぞれ１個ずつ挿入し嵌めこむことが可能になる。同時に、嵌めこむことによって各エンドキャップ１２、１２´のＵ字形状をなす導電体１２ｃ１のそれぞれの先端部１２ｃ２が、ダクト本体１１の上下に位置する２本の導電バー１３ｂに接触し、すなわち、導電部１３Ａおよび導通部１３Ｂが電気的に接続される（図１（ｂ））。この接続は、＋極側の導電バーと−極側の導電バーで同時に行われる。
【００３９】
これによって、ダクト本体１１内面に長手方向に沿って互いに絶縁されて設けられた上下の導電路、すなわち、導電部１３Ａおよび導通部１３Ｂとエンドキャップ１２の電路１２ｃによってループ状の導電路Ｌ（図１（ｂ）中、斜線ハッチング部分）が形成される。このループ状の導電路Ｌは、ダクト本体１１内面の両側部に設けられた左右一対の＋極側の導電路Ｌおよび−極側の導電路Ｌが共に、後述する直流電源部１７との距離が一定で同一となるように同形状をなすループ状に形成される。
【００４０】
上記に構成されたライティングダクト１０は、直流配電システムが設置された店舗等の天井面に設置される。図３（ａ）に示すように、直流配電システムＳは、商用交流電源１５に接続された店舗等における分電盤１６内に、ＡＣ／ＤＣコンバータからなる直流電源部１７が設けられ、この直流電源部から店舗の屋内等に対して直流配電の電路が配線され、この電路に対して直流コンセントや引掛シーリング等の直流出力部分が設けられて構成される。また、ライティングダクト１０への直流電源の供給は、屋内に配線された電路に接続されたフィードインキャップ１８がダクト本体１１に接続されることによって供給される。
【００４１】
すなわち、ライティングダクト１０は、フィードインキャップ１８が接続される電源側（図３（ａ）中、右方）のエンドキャップ１２´は、図４にその構成を示すように、エンドキャップの電路１２ｃを構成するＵ字形状をなす導電体１２ｃ１には、レール状をなす接触端子１２ｃ３が一体に形成され、フィードインキャップ１８を挿入することによって、フィードインキャップ１８の＋極および−極の接触子１８ａがエンドキャップの１２´のレール状の接触端子１２ｃ３に接続される。これにより、導電路Ｌの一端側（図３（ａ）中、右端側）に対して、フィードインキャップ１８がエンドキャップ１２´を介して接続され、ループ状をなす＋極側の導電路Ｌおよび−極側の導電路Ｌ、それぞれに対して直流電源が供給される。なお、図３（ａ）中、各導電路Ｌは、便宜上上下に展開して図示した。
【００４２】
上記のように直流配電システムＳに配線され、店舗等の天井に設置されたライティングダクト１０に対して負荷である照明器具が接続される。本実施例における照明器具は、光源を発光ダイオードとするスポットライト２０およびペンダントライト３０で構成される。スポットライト２０は引掛シーリング２１を一体的に有する直付け形の照明器具として、また、ペンダントライト３０はコード３１付きの照明器具として構成される。これらの照明器具２０、３０は、直流配電システム専用の器具として構成され、従来の交流配電用の器具とは異なり、本体内に発光ダイオードを点灯させるための直流電源部を個々に有していない簡易な照明器具として構成されている。
【００４３】
これら照明器具２０、３０は、店舗等の例えば、展示物に合わせ長尺なライティングダクト１０に対して、長手方向の任意の場所にスライド移動させて位置が選択され、電気接続部材１４を介して設置される。電気接続部材１４は、図３（ｂ）（ｃ）に示すように、本実施例では引掛シーリング機能を有するライティングダクト用引掛シーリングボディ２２およびペンダントライト３０のコード３１を接続する機能を有するライティングダクト用プラグ３２からなり、本実施例のスポットライト２０は引掛シーリングボディ２２を介して、また、ペンダントライト３０はプラグ３２を介してライティングダクト１０に取り付けられループ状の導電路Ｌに接続される。
【００４４】
引掛シーリングボディ２２は、図３（ｂ）に示すように、本体ケース２２ａの上面に一対の接続端子部２２ｂおよび一対の係合片２２ｃを有し、本体ケース内２２ａに一対の導電板からなる端子部（図示せず）が内蔵され、照明器具側の引掛シーリング２１における一対のＬ字端子が挿入される一対の挿入孔が本体ケース２２ａの下面に形成されている。
【００４５】
上記に構成された引掛シーリングボディ２２は、図１（ｂ）に示すように、その上面に設けられた接続端子部２２ｂおよび係合片２２ｃを、ライティングダクト１０の開放部１１ａに挿入し、左右にスライドさせて位置決めを行い９０°回動させる。これにより、引掛シーリングボディ２２の一対の接続端子部２２ｂが、ダクト本体１１内面の両側部に設けられた＋極側および−極側の一対の導電路Ｌを構成する導電バー１３ｂに電気的に接続されると共に、一対の係合片２２ｃがダクト本体１１底面の各係合支持部１１ｅ上面に係合して、引掛シーリングボディ２２をダクト本体１１に対して機械的に支持する。この際、引掛シーリングボディ２２の一対の接続端子部２２ｂは、ループ状に形成された導電路Ｌの片側、図１中、上部の電路、すなわち、ダクト本体１１の上下に位置して設けられた導電バー１３ｂの内、上方の導電部１３Ａを構成する導電バー１３ｂに対して、＋極側および−極側共に接続される。
【００４６】
上記のようにダクト本体１１に支持された引掛シーリングボディ２２に対して、スポットライト２０に設けられた引掛シーリング２１のＬ字端子を挿入孔から挿入して９０°回動させて引掛シーリングボディ２２とスポットライト２０との電気接続を行う。
【００４７】
また、ペンダントライト用のプラグ３２は、図３（ｃ）に示すように、引掛シーリングボディ２２と同様に、本体ケース３２ａの上面に一対の接続端子部３２ｂおよび一対の係合片３２ｃを有し、本体ケース３２ａ内に一対の導電板からなる端子部（図示せず）が内蔵され、ペンダントライト３０のコード３１がこれらの端子部に接続され、本体ケース３２ａの下面から引き出されてペンダイトライト３０が接続される。
【００４８】
上記に構成されたプラグ３２は、引掛シーリングボディ２２と同様に、その上面に設けられた接続端子部３２ｂおよび係合片３２ｃを、ライティングダクト１０の開放部１１ａに挿入し、長手方向の任意の場所にスライドさせて位置決めを行い９０°回動させる。これにより、プラグ３２の一対の接続端子部３２ｂが、ダクト本体１１内面の両側部に設けられた＋極側および−極側の一対の導電路Ｌを構成する導電バー１３ｂに電気的に接続されると共に、一対の係合片３２ｃがダクト本体１１底面の各係合支持部１１ｅ上面に係合してプラグ３２をダクト本体１１に対して機械的に支持する。この際、プラグ３２の一対の接続端子部３２ｂは、ループ状に形成された電路Ｌの上部の電路、すなわち、ダクト本体１１の上下に位置して設けられた導電バー１３ｂの内、上方の導電部１３Ａを構成する導電バー１３ｂに対して、＋極側および−極側共に接続される。
【００４９】
なお、上述した引掛シーリングボディ２２、プラグ３２および各照明器具２０、３０は、直流専用として構成されており、その極性をライティングダクト１０の＋極および−極の極性表示部１１ｆに合わせて取り付ける。また、各照明器具２０、３０を取り外す場合には、上記とは逆に引掛シーリング２１またはプラグ３２を回動させて取り外す。また、ライティングダクト１０から引掛シーリングボディ２２を取り外す場合には、引掛シーリングボディ２２を左右どちらかに９０°回動させることにより取り外すことができる。
【００５０】
上記により、各照明器具２０、３０は、図３（ａ）に示すように、電気接続部材１４である引掛シーリングボディ２２、プラグ３２を介してダクト本体１１内面の両側部に設けられた一対の導電路Ｌ、すなわち、ループ状に形成された＋極側の導電路Ｌと、同じくループ状に形成された−極側の導電路Ｌに接続される。そして、ライティングダクト１０に取り付けられた各照明器具２０、３０を点灯すると、ループ状をなす導電路Ｌによって電圧降下が抑制されることから、直流電源部１７から遠いスポットライト２０および近いペンダントライト３０に対しても所定の定格の直流電圧が供給されて所定の明るさをもった照明を行うことができる。
【００５１】
すなわち、導電路Ｌがループ状に形成されていることから、直流電源部１７の＋極と−極の間に負荷である照明器具２０と照明器具３０の各並列回路が介在したことと等価となり、従来のように単一の電路で形成された場合に比較して、直流電源部１７と負荷である各照明器具２０、３０との間の直流電路のインピーダンスが小さくなり、電圧降下による電力損失を抑制することができる。
【００５２】
これにより、ライティングダクトにおける長い電路において、直流電源部１７から遠い電路における電圧降下が抑制されて直流電源部１７から遠いスポットライト２０も暗くなることなく所定の明るさをもって点灯させることができる。この結果、長い電路を有するライティングダクトにおいて、直流電源部１７から遠くなる位置に接続された照明器具に対しても、また、近くに接続された照明器具に対しても、それぞれを正常に動作されることが可能な直流電圧を供給することが可能となる。
【００５３】
以上、本実施例のライティングダクトによれば、ダクト本体１１内面の両側部に設けられた一対の導電路Ｌ、すなわち、＋極側の導電路および−極側の導電路は共にループ状に形成され、このループ状をなす導電路Ｌによって電圧降下を抑制することができる。これによって、直流電源部１７から遠い照明器具２０も暗くなることなく所定の明るさをもって点灯させることができ、また、インバータ器具等においては、電圧降下による補正電流値の増加を防止することができ、ライティングダクトにおける導電路への通電電流の増大を抑制することができる。
【００５４】
また、＋極側の導電路Ｌおよび−極側の導電路Ｌは、エンドキャップ１２の電路１２ｃと共にループ状の導電路Ｌが形成されようにしたので、このループ状の導電路Ｌは、ダクト本体１１の端部に対してエンドキャップ１２を挿入する操作によって、同時にかつ自動的に形成されることから、ループ状の導電路Ｌを構成するための格別な構成および操作が不要となり、構成が簡単でかつ施工を容易にする簡易な手段により、長尺な電路における電圧降下を抑制することが可能となる。
【００５５】
本実施例において、ループ状の導電路Ｌは、ループ形成用の専用の導電体で導電部１３Ａと導通部１３Ｂを接続することによって構成してもよい。すなわち、図５（ａ）に示すように、ループ状の導電路Ｌを専用の導電体４０で、導電部１３Ａと導通部１３Ｂを接続する。この導電体４０は、図５（ｂ）に示すように、ダクト本体１１内面の上下に設けられた導電部１３Ａと導通部１３Ｂを構成する２本の導電バー１３ｂの途中を導電体４０によって連結し、電気的に接続することによって構成される。これは、対をなす＋極側と−極側の導電路Ｌに対して同様に構成する。
【００５６】
これによって、図５（ａ）に示すように、直流電源部１７から遠い照明器具２０においては、導電体４０ａによって、図５（ａ）中、矢印ａで示す短縮電路が形成され、導電路Ｌにおける直流電源部１７との距離が短縮されることにより、直流電源部１７と負荷である照明器具２０との間の直流電路のインピーダンスがより小さくなり、電圧降下による電力損失を一層抑制することができる。なお、図５（ａ）における導電体４０ｂ、４０ｃによって、直流電源部１７に近い側の照明器具も同様にそれぞれの短縮電路ａが形成されて電圧降下が抑制される。
【００５７】
また、ループ状の導電路Ｌは、電気接続部材１４に設けられた導電体で導電部１３Ａと導通部１３Ｂを接続することによって構成し、電気接続部材によって自動的にループ状の導電路が構成されるようにしてもよい。すなわち、図６（ａ）に示すように、直流電源部１７から遠いスポットライト２０に設けられた電気接続部材１４、すなわち、図６（ｂ）に示すように、引掛シーリングボディ２２の一対の接続端子部２２ｂを断面がＵ字形状（図中点線部分）となるように構成して導電部１３Ａと導通部１３Ｂを接続する導電体となし、その先端部に一対の接触部２２ｂ１を形成する。この各接触部２２ｂ１を上述したと同様にダクト本体１１の開放部１１ａから挿入して９０°回動し、ダクト本体１１内面の上下に設けられた導電部１３Ａと導通部１３Ｂを構成する２本の導電バー１３ｂに対してそれぞれ接続する。これは、対をなす＋極側と−極側の導電路Ｌに対して同様に接続される。
【００５８】
これによって、図６（ａ）に示されるように、ループ状をなす導電路Ｌは、引掛シーリングボディ２２の一対の接触部２２ｂ１によって図中、矢印ａで示す短縮電路が形成され、ループ状をなす導電路Ｌにおける直流電源部１７との距離が短縮されることにより、電圧降下による電力損失を一層抑制することができる。なお、図６（ａ）における、直流電源部１７に近い側のペンダントライト３０のプラグ３２における一対の接続端子部３２ｂも同様構成の一対の接触部３２ｂ１が形成されており、同様に短縮電路ａが形成されて電圧降下が抑制される。また、ループ状の導電路は、引掛シーリングボディ２２やプラグ３２などの電気接続部材１４の接続操作によって、同時にかつ自動的に形成されることから、ループ状の導電路Ｌを形成するための格別な構成および操作が不要となり、構成が簡単でかつ施工を容易にする簡易な手段により、長尺な電路における電圧降下を確実に抑制することが可能となる。
【００５９】
また、ループ状の導電路Ｌは、複数のダクト本体を接続するためのジョインタに設けられた導電体で導電部１３Ａと導通部１３Ｂを接続することによって構成し、ジョインタを隣接するダクト本体の間に接続することによって自動的にループ状の導電路Ｌが構成されるようにしてもよい。すなわち、図７（ｂ）に示すように、ジョインタ５０は、ジョインタ本体５０ａの両側面に設けられる接続端子部５０ｂを、断面がＵ字形状になるように構成して導電部１３Ａと導通部１３Ｂを接続する導電体となし、その先端部に一対の接触部５０ｂ１を形成する。この各接触部５０ｂ１は、接続される各ダクト本体１１のジョインタ５０による機械的な接続操作と同時に電気的に接続される。すなわち、ジョインタ５０を隣接するダクト本体１１の端部に挿入することにより、各接触部５０ｂ１の先端部がダクト本体１１内面の上下に設けられた導電部１３Ａと導通部１３Ｂを構成する２本の導電バー１３ｂに対してそれぞれ接続される。これは、対をなす＋極側と−極側の導電路Ｌに対して同様に接続される。
【００６０】
これによって、図７（ａ）に示されるように、ループ状をなす導電路Ｌは、ジョインタ５０の一対の接触部５０ｂ１によって、図中、矢印ａで示す短縮電路が形成され、ループ状をなす導電路Ｌにおける直流電源部１７との距離が短縮されることにより、電圧降下による電力損失を一層抑制することができる。さらに、ループ状に形成される導電路Ｌがジョインタ５０の接続操作によって、同時にかつ自動的に形成されることから、ループ状の導電路Ｌを形成するための格別な構成および操作が不要となり、構成が簡単でかつ施工を容易にする簡易な手段により、長尺な電路における電圧降下を確実に抑制することが可能となる。
【００６１】
なお、ジョインタは、上記の直線状をなすＩ形ジョインタに限らず、Ｌ形ジョインタ、Ｔ形ジョインタ、さらには十字形ジョインタ等、これら各種のジョインタにおける接続端子部５０ｂを断面がＵ字形状になるように形成して一対の接触部５０ｂ１を構成し、ライティングダクトにおける各種の長さ・設置形状に沿わせるためのジョインタの接続操作と同時に、各種形状・大きさの導電路に対してループ状の導電路Ｌを自動的に構成するようにしてもよい。
【００６２】
また、ループ状をなす導電路Ｌは、上記に説明した各種の接続手段を組み合わせることにより、ループ状の導電路Ｌの途中が複数箇所で接続されるように構成してもよい。すなわち、図８に示すように、ジョインタ５０による接続部分Ａ、導電体４０による接続部分Ｂ、さらに照明器具２０、３０の電気接続部材１４による接続部分Ｃを、それぞれ形成することによって多数の短縮電路ａを形成してもよい。これによれば、ジョインタによって、特に長い距離にわたり複雑な形状に張りめぐらされて設置されたライティングダクトシステムにおける電圧降下を効果的に抑制することが可能になる。
【００６３】
なお、上述の図５、図６、図７、図８に示す構成では、エンドキャップ１２の電路１２ｃと導電部１３Ａおよび導通部１３Ｂによって形成されたループ状の導電路Ｌに対して、その途中に専用の導電体４０、電気接続部１４の導電体である接続端子部２２ｂ、３２ｂ、ジョインタ５０の導電体である接続端子部５０ｂを、それぞれ接続することによって、ループ状の導電路内に、さらに、小さいループを形成するようにしたが、エンドキャップ１２によるループ状の導電路の形成を省略して、専用の導電体４０、電気接続部１４の接続端子部２２ｂ、３２ｂ、ジョインタ５０の接続端子部５０ｂのみでループ状の導電路Ｌを形成するようにしてもよい。
【００６４】
また、本実施例において、ダクト本体１１の両端部にエンドキャップ１２および１２´を設けることによって、一対のループ状の導電路Ｌを形成するように構成したが、図９（ａ）に示すように、エンドキャップ１２はダクト本体１１の一端部（図中左端）のみに設けることによって構成してもよい。すなわち、ダクト本体１１の他端部は閉塞された閉塞端部１１ｇとして形成し、この閉塞端部１１ｇには負荷である照明器具を接続することができないコ字形状をなす折り返し導電体１１ｈを、導電路Ｌに連続させて樹脂成型で一体に埋め込んで構成する。
【００６５】
これにより、エンドキャップ１２をダクト本体１１の一端部側のみに接続することによって、エンドキャップ１２のＵ字形状の電路１２ｃとコ字状の折り返し導電体１１ｈとでループ状をなす導電路Ｌ（図９（ａ）中、斜線のハッチング部分）を形成する。これによれば、ループ状の導電路Ｌの形成は、ダクト本体１１の片側のみに１個のエンドキャップ１２を接続するのみの簡易な操作によって行うことができ、施工性を一層向上させることができる。また、エンドキャップ１２は、フィードインキャップ１８を接続するためのレール状をなす接触端子１２ｃ３を形成しない、簡単な構成のキャップ一種類のみで構成することができコスト的にも有利となる。
【００６６】
また、直流電源部１７は、ループ状をなす電路Ｌの一端側（図３（ａ）において右端側）から供給するように構成したが、図９（ｂ）に示すように、導電路Ｌの中間部等、電路の途中にジョインタを兼ねたフィードインキャップ１８´を接続して供給するようにしてもよい。これによれば、長い電路に対する電圧降下をさらに抑制することができる。また、上述した各構成における直流電源部１７は、充電可能なバッテリや太陽電池等の専用バッテリで構成してもよい。
【００６７】
なお、変形例を示す図５〜図９には、図１〜図４と同一部分に同一符号を付し、詳細な説明は省略した。以上、本発明の好適な実施形態を説明したが、本発明は上述の実施例に限定されることなく、本発明の要旨を逸脱しない範囲内において、種々の設計変更を行うことができる。
【符号の説明】
【００６８】
１０  ライティングダクト
１１  ダクト本体
１１ａ  開放部
１２  エンドキャップ
１３Ａ  導電部
１３Ｂ  導通部
Ｌ    導電路
１４  電気接続部材
【図１】
2011146186.tif 000003
【図２】
2011146186.tif 000004
【図３】
2011146186.tif 000005
【図４】
2011146186.tif 000006
【図５】
2011146186.tif 000007
【図６】
2011146186.tif 000008
【図７】
2011146186.tif 000009
【図８】
2011146186.tif 000010
【図９】
2011146186.tif 000011